(57)【要約】【課題】太陽光発電により自動充電し、電池交換の問題を解決すると共に、電圧増幅回路を備え、電力ユニットの設置体積を小型化した、警告装置の提供。【解決手段】本考案の太陽エネルギー充電警告装置はヘルメット上に設置され、少なくとも１つの発光デバイス、太陽電池パネル、電圧増幅回路、検知回路、充放電回路、二次電池を備え、ヘルメット上に設置された太陽電池パネルにより光を受けて発電し、かつ前記検知回路、前記充放電回路、前記二次電池に通電し、電力を前記二次電池に保存して、必要時に前記充放電回路と前記電圧増幅回路により必要な電圧を形成し、前記ヘルメット外に設置した前記発光デバイスを発光させ、これにより光源がないときは前記二次電池に対して充電を行い、夜間は前記二次電池に放電させて前記発光デバイスを点灯させ、警告に用いて安全性を向上できる。【選択図】図４
0003152602.tif 000002
【実用新案登録請求の範囲】
【請求項１】
ヘルメット（１０）上に設置する太陽光発電警告装置であって、太陽電池パネル（２０）、充放電回路（３０）、二次電池（４０）、電圧増幅回路（５０）、少なくとも１つの発光デバイス（６０）を備え、前記太陽電池パネル（２０）は前記ヘルメット（１０）の外側表面上に設置され、かつ光を受けて発電し、前記充放電回路（３０）は前記太陽電池パネル（２０）と電気的に接続され、前記二次電池（４０）は前記充放電回路（３０）と電気的に接続され、かつ前記太陽電池パネル（２０）の発電する電力を保存し、前記充放電回路（３０）が前記二次電池（４０）の電力を供給し、前記電圧増幅回路（５０）は前記充放電回路（３０）と電気的に接続され、かつ前記二次電池（４０）の供給電力の電圧を増幅し、前記発光デバイス（６０）は前記ヘルメット（１０）の外側表面上に設置され、かつ前記電圧増幅回路（５０）と導線（７１）により電気的に接続され、前記電圧増幅回路（５０）の増幅後の電圧を受けて発光することを特徴とする、太陽光発電警告装置。
【請求項２】
前記太陽電池パネル（２０）と前記充放電回路（３０）の間に検知回路（８０）を設置し、前記充放電回路（３０）は前記検知回路（８０）にフィードバック接続され、前記検知回路（８０）が前記太陽電池パネル（２０）の発電を検知した場合、前記充放電回路（３０）を制御して前記二次電池（４０）に対して充電を行い、かつ前記太陽電池パネル（２０）が発電していない場合、前記充放電回路（３０）を制御して前記二次電池（４０）に放電させることを特徴とする、請求項１に記載の太陽光発電警告装置。
【請求項３】
前記太陽電池パネル（２０）上面に透明板（１５）を設置したことを特徴とする、請求項１に記載の太陽光発電警告装置。
【考案の詳細な説明】
【技術分野】
【０００１】
本考案は警告装置に関し、特に、搭乗者が着用するヘルメットに取り付けた警告装置に関する。
【背景技術】
【０００２】
車両に搭乗する搭乗者にとって、ヘルメットは非常に重要な必要装備であり、事故が発生したときの傷害を減少できるため、広く使用されている。図１に示すように、従来のヘルメット１は、夜間における可視性を強化するため、一般にヘルメット１上に反射部材２を貼付し、この反射部材２の高い光反射特性によって人々はヘルメット１の位置を容易に識別できるようにしている。しかしながら、能動的な発光光源ではないため、極めて暗い場面においてはヘルメット１の反射部材２による光反射に気付かせることができず、使用者のニーズを満たすことができない。
【０００３】
また、図２に示すように、他の従来のヘルメットでは、警告効果を向上するため、ヘルメット１上に警告装置３を設置する。この警告装置３は２つの電池４と少なくとも１つの光源５を備え、２つの電池４が光源５に必要な電力を供給し、これにより光がない暗闇でも光源５を発光させて良好な警告効果を提供し、かつスイッチ６でオフにすることができる。しかしながら、このような警告方式は、光源５が短時間に２つの電池４の電力を消費してしまい、頻繁に電池４を交換する必要があるため環境保護に良くない。また、電池切れによって、警告装置が作動しなくなることがある。また、十分な電圧を供給させるため、電池４を複数個接続して使用する必要があり、このためより大きなスペースが必要となると共に、ヘルメット１の全体重量が増してしまうため、実際の使用者のニーズを満たすことができない。
【考案の概要】
【考案が解決しようとする課題】
【０００４】
本考案の主な目的は、太陽光発電により自動充電し、電池交換の問題を解決した警告装置を提供することにある。
【０００５】
また、電力ユニットを省電力化し、必要なスペースを減少させるための電圧増幅回路を備えた警告装置を提供することにある。
【課題を解決するための手段】
【０００６】
上述の目的を達するため、本考案の太陽光発電充電警告装置は、ヘルメット上に設置され、太陽電池パネル、充放電回路、二次電池、電圧増幅回路、少なくとも１つの発光デバイスを備える。また、前記太陽電池パネルは前記ヘルメットの外側表面上に設置され、光を受けて発電する。前記充放電回路は前記太陽電池パネルと電気的に接続され、前記二次電池は前記充放電回路と電気的に接続され、かつ前記太陽電池パネルの発電を受けて充電する。前記充放電回路は前記二次電池の電力を供給するために用いられ、前記電圧増幅回路は前記充放電回路と電気的に接続され、かつ前記二次電池が供給する電力の電圧増幅に用いられる。前記発光デバイスは前記ヘルメットの外側表面上に設置され、前記電圧増幅回路と電気的に接続され、前記電圧増幅回路の増幅後の電圧によって、発光する。
【考案の効果】
【０００７】
本考案と従来品を比較すると、前記太陽電池パネルが光を受けて発電し、前記二次電池に充電を行い、また、光源がないときは、前記二次電池の放電によって前記発光デバイスを発光させることができるという利点がある。このため、前記ヘルメットは光源がない場面においても、前記発光デバイスの発光により警告効果を発揮することができるため、使用者の安全性を高めることができる。
【図面の簡単な説明】
【０００８】
【図１】従来のヘルメットの警告装置を示す斜視図である。
【図２】従来の他のヘルメットの警告装置を示す斜視図である。
【図３】本考案の実施例の警告装置の斜視図である。
【図４】本考案の実施例の警告装置の分解斜視図である。
【図５】本考案の実施例の回路ブロック図である。
【考案を実施するための形態】
【０００９】
本考案の特徴、目的、効果についてより理解を促すため、以下、実施例の形態を図面に基づいて詳細に説明する。
【００１０】
図３乃至図５に示すように、本考案の太陽光発電充電警告装置は、ヘルメット１０上に設置され、太陽電池パネル２０、充放電回路３０（図５参照）、二次電池４０、電圧増幅回路５０、少なくとも１つの発光デバイス６０を備える。また、太陽電池パネル２０はヘルメット１０の外側表面上に設置され、光を受けて発電する。太陽電池パネル２０はヘルメット１０の表面に嵌設される。また、太陽電池パネル２０の上面に透明板１５を設置して、太陽電池パネル２０を保護するようにすることができる。
【００１１】
充放電回路３０は太陽電池パネル２０と電気的に接続され、また、二次電池４０は充放電回路３０と電気的に接続され、かつ太陽電池パネル２０が発電する電力を受けて充電する。二次電池４０は、例えば、リチウム電池、ニッケル水素電池等の蓄電池の任意の種類を使用することができる。また、充放電回路３０は二次電池４０へ電力を供給し、電圧増幅回路５０（図５参照）は充放電回路３０と電気的に接続し、かつ二次電池４０の供給電力の電圧を増幅する。また、ヘルメット１０内に回路板９０が設置され、回路板９０上には充放電回路３０と電圧増幅回路５０が設置される。
【００１２】
また、太陽電池パネル２０と充放電回路３０の間には検知回路８０（図５参照）が設置され、充放電回路３０が検知回路８０にフィードバック接続され、検知回路８０は太陽電池パネル２０の発電を検出し充放電回路３０を制御して二次電池４０に対し充電を行う。または、太陽電池パネル２０が発電していないとき、充放電回路３０を制御して二次電池４０に放電させる。また、回路板９０にはスイッチ９１を設けてもよく、スイッチ９１の導通の有無により二次電池４０の放電を制御し、二次電池４０の消費電力を節約することができる。
【００１３】
発光デバイス６０はヘルメット１０の外側表面上に設置され、例えば、発光デバイス６０はヘルメット１０の外側表面の前面及び後面に設置することができる。また、発光デバイス６０は、例えば、発光ダイオードを使用することができ、電圧増幅回路５０と導線７１により電気的に接続され、電圧増幅回路５０の増幅後の電圧によって発光する。また、導線７１は表面実装部品（ＳＭＤ：Ｓｕｒｆａｃｅ  Ｍｏｕｎｔ  Ｄｅｖｉｃｅ）でヘルメット１０の内側表面上に設置することにより、回路が露出されて破損し、危険を生じることがないようにする。
【００１４】
上述のように、本考案は太陽電池パネル２０が光を受けて発電し、二次電池４０に対して充電を行い、光源がないときは、二次電池４０の放電により発光デバイス６０を発光させることができる。このため、ヘルメット１０は光源がない場面においても、発光デバイス６０の発光により、警告効果を発揮し、使用者の安全性を向上することができる。また、本考案は電圧増幅回路５０を設置することによって、電力ユニットを省電力化し、複数の電池を接続して使用する必要がないため、必要なスペースを減少することができる。また、同時にヘルメット１０の重量も軽くできるため、使用者は楽に装着して使用でき、使用者のニーズを満たす。
【００１５】
上述の説明は本考案の実施例に基づいて行ったが、本考案の実施範囲を限定するものではなく、本考案の実用新案登録請求の範囲の内容に基づいた変更、追加、または、削除を施してもよい。
【符号の説明】
【００１６】
１    ヘルメット
２    反射部材
３    警告装置
４    電池
５    光源
６    スイッチ
１０  ヘルメット
１５  透明板
２０  太陽電池パネル
３０  充放電回路
４０  二次電池
５０  電圧増幅回路
６０  発光デバイス
７１  導線
８０  検知回路
９０  回路板
【図１】
0003152602.tif 000003
【図２】
0003152602.tif 000004
【図３】
0003152602.tif 000005
【図４】
0003152602.tif 000006
【図５】
0003152602.tif 000007